(57)【要約】    【構成】携帯電話機１０は、２つのカメラモジュール４０，４２などを備える。たとえば、カメラ機能を実行する操作がされると、時間を計測するために判定タイマがスタートされる。無操作状態で判定タイマによって所定時間（６０秒）が計測されると、第２カメラモジュール４２が起動する。また、第２カメラモジュール４２によって撮影された画像に対して顔検出処理が実行される。そして、顔が検出されると、判定タイマがリスタートされ、時間が再び計測される。一方、顔が検出されなければ、省電力状態が設定される。    【効果】使用者が携帯電話機１０を利用しているかを判断するときだけ、第２カメラモジュール４２を起動するようにしたため、カメラモジュール第２カメラモジュール４２が常に起動している場合に比べて、携帯電話機１０の消費電力を抑えることができる。【選択図】図１
2013062777.tif 000002
【特許請求の範囲】
【請求項１】
第１カメラモジュール、
顔検出のための画像を撮影する第２カメラモジュール、
時間を計測する計測部、
所定時間が計測されたとき、前記第２カメラモジュールを起動する起動部、
起動した第２カメラモジュールによって撮影された画像に対して顔検出処理を実行する実行部、
前記顔検出処理によって顔が検出されたか否かを判断する判断部、および
前記第１カメラモジュールに基づくカメラ機能が実行されているときに、前記判断部によって顔が検出されなかったと判断されると、前記カメラ機能を終了する省電力状態を設定する第１設定部を備える、携帯端末。
【請求項２】
前記カメラ機能の画像を表示する表示部をさらに備え、
前記省電力状態が設定されると、前記表示部の電源がオフにされる、請求項１記載の携帯端末。
【請求項３】
前記判断部によって顔が検出されたと判断されたとき、前記表示部における前記カメラ機能に対応する画面の表示が継続される、請求項２記載の携帯端末。
【請求項４】
前記携帯端末は、テレビ視聴機能を実行し、
前記テレビ視聴機能の画面を表示する表示部、
前記テレビ視聴機能の音声を出力する出力部、および
前記テレビ視聴機能が実行されているときに、前記判断部によって顔が検出されなかったと判断されると、前記表示部の電源をオフにすると共に前記出力部による音声の出力を継続する省電力状態を設定する第２設定部をさらに備える、請求項１記載の携帯端末。
【請求項５】
第１カメラモジュールおよび顔検出のための画像を撮影する第２カメラモジュールを有する、携帯端末のプロセッサを、
時間を計測する計測部、
所定時間が計測されたとき、前記第２カメラモジュールを起動する起動部、
起動した第２カメラモジュールによって撮影された画像に対して顔検出処理を実行する実行部、
前記顔検出処理によって顔が検出されたか否かを判断する判断部、および
前記第１カメラモジュールに基づくカメラ機能が実行されているときに、前記判断部によって顔が検出されなかったと判断されると、前記カメラ機能を終了する省電力状態を設定する設定部として機能させる、省電力制御プログラム。
【請求項６】
第１カメラモジュールおよび顔検出のための画像を撮影する第２カメラモジュールを有する、携帯端末の省電力制御方法であって、
時間を計測し、
所定時間が計測されたとき、前記第２カメラモジュールを起動し、
起動した第２カメラモジュールによって撮影された画像に対して顔検出処理を実行し、
前記顔検出処理によって顔が検出されたか否かを判断し、そして
前記第１カメラモジュールに基づくカメラ機能が実行されているときに、顔が検出されなかったと判断されると、前記カメラ機能を終了する省電力状態を設定する、省電力制御方法。
【発明の詳細な説明】
【技術分野】
【０００１】
この発明は、携帯端末、省電力制御プログラムおよび省電力制御方法に関し、特に消費電力を抑える省電力状態を設定できる、携帯端末、省電力制御プログラムおよび省電力制御方法に関する。
【背景技術】
【０００２】
消費電力を抑える省電力状態を設定できる、携帯型情報端末は、人体が接触していることを感知する接触センサと、人が表示方向に向いていることを感知する顔向きセンサとを有している。そして、接触センサによって筐体を持っていないと感知され、かつ顔向きセンサによって人が表示を見ていない感知されると、携帯型情報端末は電源をＯＦＦにする節電モードに入る。
【０００３】
また、特許文献２に記載の技術では、カメラ画像によって撮影された画像における顔画像の有無によりスリープ状態の移行を判定している。
【特許文献１】特開２００４−４６３８６号公報［G06F 1/32, G06F 1/26, G06F 15/02］
【特許文献２】特開２０１０−１０８１３２号公報［G06F 1/32, H04M 1/73］
【発明の概要】
【発明が解決しようとする課題】
【０００４】
ところが、特許文献１の携帯型情報端末は、節電モードでも接触センサを常にＯＮにしなければならず、節電モードであっても接触センサが電力を消費してしまう。また、節電モードのために、接触センサおよび顔向きセンサを設ける必要があるため、携帯型情報端末の原価が高くなってしまう。
【０００５】
また、特許文献２の技術では、カメラ機能を動作させている場合における、使用者の状況に応じた省電力制御を行うことは困難であった。
【０００６】
それゆえに、この発明の主たる目的は、新規な、携帯端末、省電力制御プログラムおよび省電力制御方法を提供することである。
【０００７】
この発明の他の目的は、消費電力を抑えることができる、携帯端末、省電力制御プログラムおよび省電力制御方法を提供することである。
【課題を解決するための手段】
【０００８】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００９】
第１の発明は、第１カメラモジュール、顔検出のための画像を撮影する第２カメラモジュール、時間を計測する計測部、所定時間が計測されたとき、第２カメラモジュールを起動する起動部、起動した第２カメラモジュールによって撮影された画像に対して顔検出処理を実行する実行部、顔検出処理によって顔が検出されたか否かを判断する判断部、および第１カメラモジュールに基づくカメラ機能が実行されているときに、判断部によって顔が検出されなかったと判断されると、カメラ機能を終了する省電力状態を設定する第１設定部を備える、携帯端末である。
【００１０】
第１の発明では、携帯端末（１０：実施例において対応する部分を例示する参照符号。以下、同じ。）の第１カメラモジュール（４０）はカメラ機能を実行するときに起動する。また、第２カメラモジュール（４２）は、インカメラとも呼ばれ、使用者の顔を撮影できるように設けられており、第２カメラモジュールで撮影された画像に対して顔検出処理が施される。計測部（２４，Ｓ１）は、たとえば携帯端末が操作されると、時間を計測する。たとえば、無操作状態で所定時間（６０秒）が計測されると、起動部（２４，Ｓ７）は第２カメラモジュールを起動する。実行部（２４，Ｓ９）は、起動した第２カメラモジュールによって撮影された画像に対して、顔検出処理を実行する。判断部（２４，Ｓ９）は、たとえば、顔検出処理によって使用者の顔が検出されたか否かを判断する。そして、第１設定部（２４，Ｓ１７）は、カメラ機能が実行されている状態で第２カメラモジュールによって撮影された画像に、使用者の顔が写っていなければ、カメラ機能を終了する省電力状態を設定する。
【００１１】
第１の発明によれば、使用者が携帯端末を利用しているかを判断するときだけ、カメラモジュールを起動するようにしたため、カメラモジュールが常に起動している場合に比べて、携帯端末の消費電力を抑えることができる。
【００１２】
第２の発明は、第１の発明に従属し、カメラ機能の画像を表示する表示部をさらに備え、省電力状態が設定されると、表示部の電源がオフにされる。
【００１３】
第２の発明では、表示部（３０）は、カメラ機能が実行されると、スルー画像などを表示する。そして、省電力状態が設定されると、消費電力が大きい表示部の電源がオフにされる。
【００１４】
第２の発明によれば、省電力状態では表示部の電源をオフにすることで、携帯端末の消費電力を大幅に削減することができる。
【００１５】
第３の発明は、第２の発明に従属し、判断部によって顔が検出されたと判断されたとき、表示部におけるカメラ機能に対応する画面の表示が継続される。
【００１６】
第３の発明では、第２カメラモジュールによって撮影された画像に顔が写っていれば、表示部にはスルー画像が継続して表示される。
【００１７】
第３の発明によれば、使用者が携帯端末を使っているときには、操作がされていなくても、省電力状態が設定されないようにできる。
【００１８】
第４の発明は、第１の発明に従属し、携帯端末は、テレビ視聴機能を実行し、テレビ視聴機能の画面を表示する表示部、テレビ視聴機能の音声を出力する出力部、およびテレビ視聴機能が実行されているときに、判断部によって顔が検出されなかったと判断されると、表示部の電源をオフにすると共に出力部による音声の出力を継続する省電力状態を設定する第２設定部をさらに備える。
【００１９】
第４の発明では、番組の映像が表示部（３０）に表示され、音声が出力部（２２）から出力される。そして、テレビ視聴機能が実行された状態で、第２カメラモジュールによって使用者の顔が撮影されていなければ、第２設定部は、表示部の電源をオフにし、音声を継続させる省電力状態を設定する。
【００２０】
第４の発明によれば、テレビ視聴機能の視聴時間を延ばすことができる。また、番組の音声が継続して出力されるため、使用者は、省電力状態から復帰させる際に、番組の状態を容易に把握できる。
【００２１】
第５の発明は、第１カメラモジュール（４０）および顔検出のための画像を撮影する第２カメラモジュール（４２）を有する、携帯端末（１０）のプロセッサ（２４）を、時間を計測する計測部（Ｓ１）、所定時間（６０秒）が計測されたとき、第２カメラモジュールを起動する起動部（Ｓ７）、起動した第２カメラモジュールによって撮影された画像に対して顔検出処理を実行する実行部（Ｓ９）、顔検出処理によって顔が検出されたか否かを判断する判断部（Ｓ１３）、および第１カメラモジュールに基づくカメラ機能が実行されているときに、判断部によって顔が検出されなかったと判断されると、カメラ機能を終了する省電力状態を設定する設定部（Ｓ１７）として機能させる、省電力制御プログラムである。
【００２２】
第５の発明でも、第１の発明と同様、使用者が携帯端末を利用しているかを判断するときに、カメラモジュールを起動させるため、携帯端末の消費電力を抑えることができる。そして、使用者が携帯端末を使っていなければ、省電力状態を設定することができる。
【００２３】
第６の発明は、第１カメラモジュール（４０）および顔検出のための画像を撮影する第２カメラモジュール（４２）を有する、携帯端末（１０）の省電力制御方法であって、時間を計測し（Ｓ１）、所定時間（６０秒）が計測されたとき、第２カメラモジュールを起動し（Ｓ７）、起動した第２カメラモジュールによって撮影された画像に対して顔検出処理を実行し（Ｓ９）、顔検出処理によって顔が検出されたか否かを判断し（Ｓ１３）、そして第１カメラモジュールに基づくカメラ機能が実行されているときに、顔が検出されなかったと判断されると、カメラ機能を終了する省電力状態を設定する（Ｓ１７）、省電力制御方法である。
【００２４】
第６の発明でも、第１の発明と同様、使用者が携帯端末を利用しているかを判断するときに、カメラモジュールを起動させるため、携帯端末の消費電力を抑えることができる。そして、使用者が携帯端末を使っていなければ、省電力状態を設定することができる。
【発明の効果】
【００２５】
この発明によれば、携帯端末の消費電力を抑えることができる。
【００２６】
この発明の上述の目的、その他の目的、特徴および利点は、図面を参照して行う以下の実施例の詳細な説明から一層明らかとなろう。
【図面の簡単な説明】
【００２７】
【図１】図１はこの発明の一実施例の携帯電話機の電気的な構成を示す図解図である。
【図２】図２は図１に示す携帯電話機の外観の一例を示す外観図である。
【図３】図３は図１に示すディスプレイに表示されるカメラ機能の表示の変化の一例を示す図解図である。
【図４】図４は図１に示すＲＡＭのメモリマップの一例を示す図解図である。
【図５】図５は図１に示すプロセッサの省電力制御処理の一例を示すフロー図である。
【図６】図６は図１に示すディスプレイに表示されるテレビ視聴機能の表示の変化の一例を示す図解図である。
【発明を実施するための形態】
【００２８】
＜第１実施例＞
図１を参照して、携帯電話機１０は、携帯端末の一種であり、コンピュータまたはＣＰＵと呼ばれるプロセッサ２４を含む。また、プロセッサ２４は、無線通信回路１４、Ａ／Ｄ変換器１６、Ｄ／Ａ変換器２０、キー入力装置２６、表示ドライバ２８、フラッシュメモリ３２、ＲＡＭ３４、タッチパネル制御回路３６、第１カメラモジュール４０、第２カメラモジュール４２およびデジタルチューナ４４などが接続される。また、無線通信回路１４にはアンテナ１２が接続される。Ａ／Ｄ変換器１６にはマイク１８が接続され、Ｄ／Ａ変換器２０にはスピーカ２２が接続される。表示ドライバ２８にはディスプレイ３０が接続される。タッチパネル制御回路３６にはタッチパネル３８が接続される。そして、デジタルチューナ４４にはテレビアンテナ４６が接続される。
【００２９】
プロセッサ２４は、携帯電話機１０の全体制御を司る。ＲＡＭ３４は、記憶部として機能し、プロセッサ２４の作業領域（描画領域を含む）ないしバッファ領域として用いられる。フラッシュメモリ３２には、携帯電話機１０の文字、画像、音声、音および映像のようなコンテンツのデータが記録される。
【００３０】
Ａ／Ｄ変換器１６は、マイク１８を通して入力される音声ないし音についてのアナログ音声信号を、デジタル音声信号に変換する。Ｄ／Ａ変換器２０は、デジタル音声信号をアナログ音声信号に変換（復号）して、図示しないアンプを介してスピーカ２２に与える。したがって、アナログ音声信号に対応する音声ないし音がスピーカ２２から出力される。
【００３１】
なお、プロセッサ２４は、Ｄ／Ａ変換器２０と接続されるアンプの増幅率を制御することでスピーカ２２から出力される音声の音量を調整する。
【００３２】
キー入力装置２６は操作部として機能し、通話キー２６ａ、終話キー２６ｂおよびメニューキー２６ｃなどを備える。また、使用者が操作したキーの情報（キーデータ）はプロセッサ２４に入力される。
【００３３】
表示ドライバ２８は、プロセッサ２４の指示の下、表示部として機能するディスプレイ３０の表示を制御する。また、表示ドライバ２８は表示する画像データを一時的に記憶するビデオメモリ（図示せず）を含む。
【００３４】
また、ディスプレイ３０には、ＬＥＤを光源とするバックライトが設けられている。バックライトは、ディスプレイ３０に含まれる表示パネルに対してエッジライト方式に基づいて設けられる。なお、バックライトの光源としては、ＬＥＤが採用されるが、他の実施例では冷陰極管などが採用されてもよい。
【００３５】
タッチパネル３８は、指などの物体が表面に接近して生じた電極間の静電容量の変化を検出する静電容量方式で、たとえば１本または複数本の指がタッチパネル３８に触れたことを検出する。また、タッチパネル３８は、ディスプレイ３０の上に設けられ、その画面内で、任意の位置を指示するためのポインティングデバイスである。検出部として機能するタッチパネル制御回路３６は、タッチパネル３８のタッチ有効範囲内で、押したり、撫でたり、触られたりするタッチ操作を検出し、そのタッチ操作の位置を示す座標のデータをプロセッサ２４に出力する。つまり、使用者は、タッチパネル３８の表面を指で、押したり、撫でたり、触れたりすることによって、操作の方向や図形などを携帯電話機１０に入力することができる。
【００３６】
ここで、使用者がタッチパネル３８の上面を指で触れる操作を「タッチ」と言う。一方、タッチパネル３８から指を離す操作を「リリース」と言う。そして、使用者がタッチパネル３８の上面をタッチして、続けてリリースする操作を「タッチアンドリリース」と言う。
【００３７】
また、タッチパネル３８の表面を撫でる操作を「スライド」と言い、タッチした後にスライドしてから、リリースする操作を「タッチスライド」と言う。さらに、２回連続してタッチアンドリリースを行う操作を「ダブルタップ」と言い、２か所にほぼ同時にタッチする操作を「マルチタッチ」と言う。そして、「タッチ操作」には、上記したタッチ、リリース、タッチアンドリリース、スライド、タッチスライド、ダブルタップおよびマルチタッチなどのタッチパネル３８に対して行う操作が含まれる。
【００３８】
また、タッチによって示された座標を「タッチ点」（タッチ開始位置）と言い、リリースによって示された座標を「リリース点」（タッチ終了位置）と言う。
【００３９】
なお、タッチ操作は指だけに限らず、導電体が先端に取り付けられたタッチペンなどによって行われてもよい。また、タッチパネル３８の検出方式には、表面型の静電容量方式が採用されてもよいし、抵抗膜方式、超音波方式、赤外線方式および電磁誘導方式などであってもよい。
【００４０】
第１カメラモジュール４０はメインカメラとも呼ばれ、カメラ機能を実行するために必要な制御回路や、レンズおよびイメージセンサなどを含む。プロセッサ２４は、カメラ機能が実行されると、第１カメラモジュール４０を起動し、背景や被写体に対応するスルー画像（プレビュー画像）をディスプレイ３０に表示する。そして、第１カメラモジュール４０は、使用者が撮影操作を行うと、画像を撮影する処理を実行する。
【００４１】
第２カメラモジュール４２はサブカメラまたはインカメラとも呼ばれ、第１カメラモジュールと同様、制御回路、レンズおよびイメージセンサなどを含む。また、第２カメラモジュール４２は、使用者の顔を撮影できるように設けられている。そのため、後述するテレビ電話機能（ビデオチャット機能）が実行されると、第２カメラモジュール４２が起動される。そして、第２カメラモジュール４２によって撮影された画像は、相手の端末に送信される。
【００４２】
デジタルチューナ４４はデコーダを含むデジタルチューナである。またデジタルチューナ４４は、テレビアンテナ４６によって受信したテレビ放送信号から、選局されたチャンネルに対応するテレビ放送信号を抽出する。また、デジタルチューナ４４は、その抽出したテレビ放送信号に対して復調等の処理を行い、復調信号（ＭＰＥＧ２トランスポートストリームとも言う。）を生成する。また、復調信号はデコーダに入力され、映像データ（映像放送）、文字データ（文字放送）および音声データなどが形成される。そして、デコードされた各データはプロセッサ２４に入力される。プロセッサ２４は、映像データおよび文字データを表示ドライバ２８のビデオメモリに格納し、音声データを、ＲＡＭ３４に一旦格納した後に、Ｄ／Ａ変換機２０に出力する。したがって、受信したテレビ放送に従う映像および文字列がディスプレイ３０に表示されるとともに、放送の音声がスピーカ２２から出力される。
【００４３】
なお、上記の処理は、使用者によってテレビ視聴機能を利用する操作がされると、実行される。また、テレビ視聴機能では、設定によっては、文字放送（文字列）が表示されない場合もある。さらに、ディスプレイ３０には、映像と共に字幕が表示されることもある。そして、プロセッサ２４は、チャンネルの選局操作がされると、選局命令をデジタルチューナ４４に出力する。
【００４４】
無線通信回路１４は、ＣＤＭＡ方式での無線通信を行うための回路である。たとえば、使用者がキー入力装置２６を用いて電話発信（発呼）を指示すると、無線通信回路１４は、プロセッサ２４の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ２４は通話処理を実行する。
【００４５】
通常の通話処理について具体的に説明すると、相手の電話機から送られてきた変調音声信号はアンテナ１２によって受信される。受信された変調音声信号には、無線通信回路１４によって復調処理および復号処理が施される。そして、これらの処理によって得られた受話音声信号は、Ｄ／Ａ変換器２０によってアナログ音声信号に変換された後、スピーカ２２から出力される。一方、マイク１８を通して取り込まれた送話音声信号は、Ａ／Ｄ変換器１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００４６】
また、相手の電話機からの電話発信信号がアンテナ１２によって受信されると、無線通信回路１４は、電話着信（着呼）をプロセッサ２４に通知する。これに応じて、プロセッサ２４は、表示ドライバ２８を制御して、着信通知に記述された発信元情報（電話番号など）をディスプレイ３０に表示する。また、これとほぼ同時に、プロセッサ２４は、図示しないスピーカから着信音（着信メロディ、着信音声と言うこともある。）を出力させる。
【００４７】
そして、使用者が通話キーを用いて応答操作を行うと、無線通信回路１４は、プロセッサ２４の指示の下、電話着信処理を実行する。さらに、通信可能状態が確立され、プロセッサ２４は上述した通常の通話処理を実行する。
【００４８】
また、通話可能状態に移行した後に終話キーによって通話終了操作が行われると、プロセッサ２４は、無線通信回路１４を制御して、通話相手に通話終了信号を送信する。そして、通話終了信号の送信後、プロセッサ２４は通話処理を終了する。また、先に通話相手から通話終了信号を受信した場合も、プロセッサ２４は通話処理を終了する。さらに、通話相手によらず、移動通信網から通話終了信号を受信した場合も、プロセッサ２４は通話処理を終了する。
【００４９】
また、携帯電話機１０は、ハンズフリー通話を行うこともできる。そして、第２カメラモジュール４２（インカメラ）およびハンズフリー通話を利用して、テレビ電話機能を実行することもできる。たとえば、テレビ電話機が実行されると、相手の端末と通話状態が確立され、相手から送信された画像をディスプレイ３０に表示すると共に、第２カメラモジュール４２によって撮影された画像を相手の端末に送信する。そして、使用者は、相手の姿を確認しながら、ハンズフリー通話を行う。
【００５０】
なお、無線通信回路１４、Ａ／Ｄ変換機１６およびＤ／Ａ変換機２０は、プロセッサ２４に含まれていてもよい。
【００５１】
図２（Ａ）は、携帯電話機１０の表面の外観を示す外観図であり、図２（Ｂ）は携帯電話機１０の裏面の外観を示す外観図である。図２（Ａ）を参照して、携帯電話機１０は、ストレート型の形状をしており、平面矩形の筐体Ｃを有する。図示しないマイク１８は、筐体Ｃに内蔵され、内蔵されたマイク１８に通じる開口ＯＰ２は筐体Ｃの縦方向一方の表面に設けられる。同じく、図示しないスピーカ２２は、筐体Ｃに内蔵され、内蔵されたスピーカ２２に通じる開口ＯＰ１は、筐体Ｃの縦方向他方の表面に設けられる。ディスプレイ３０は、モニタ画面が筐体Ｃの表面側から見えるように取り付けられる。また、ディスプレイ３０にはタッチパネル３８が設けられる。
【００５２】
第１カメラモジュール４０および第２カメラモジュール４２は筐体Ｃに内蔵される。また、第１カメラモジュール４０に通じる開口ＯＰ４は、筐体Ｃの縦方向他方の裏面に設けられる。一方、第２カメラモジュール４２に通じる開口ＯＰ３は開口ＯＰ１の右側に設けられる。
【００５３】
そして、キー入力装置２６が備える、通話キー２６ａ、終話キー２６ｂおよびメニューキー２６ｃは、筐体Ｃの表面に設けられる。
【００５４】
たとえば、使用者は、ディスプレイ３０に表示されたダイヤルキーに対して、タッチ操作を行うことで電話番号を入力し、通話キー２６ａによって音声発信操作を行う。そして、使用者は、通話が終了すると、終話キー２６ｂによって通話終了操作を行う。また、使用者はテレビ電話機能を実行する場合、筐体Ｃの表面、つまりディスプレイ３０および開口ＯＰ３を見ながらハンズフリー通話を行う。
【００５５】
また、使用者は、メニューキー２６ｃを操作することで、ディスプレイ３０にメニュー画面を表示する。さらに、使用者は、ディスプレイ３０に表示されたソフトキーおよびメニューに対してタッチ操作を行うことで、メニューの選択や確定を行う。そして、使用者は、終話キー２６ｂを長押しすることで携帯電話機１０の電源をオン／オフする。
【００５６】
なお、アンテナ１２、無線通信回路１４、Ａ／Ｄ変換機１６、Ｄ／Ａ変換機２０、プロセッサ２４、表示ドライバ２８、フラッシュメモリ３２、ＲＡＭ３４、タッチパネル制御回路３６、第１カメラモジュール４０および第２カメラモジュール４２は筐体Ｃに内蔵されているため、図２（Ａ），（Ｂ）では図示されない。
【００５７】
ここで、カメラ機能などの所定機能が実行されているときに設定される、省電力状態（スリープモードとも言う。）について説明する。図３（Ａ）を参照して、ディスプレイ３０の表示範囲は、状態表示領域６０および機能表示領域６２を含む。状態表示領域６０には、アンテナ１２による電波受信状態を示すアイコン（ピクト）、二次電池の残電池容量を示すアイコンおよび日時が表示される。また、機能表示領域６２には、カメラ機能の実行に応じて撮影されたスルー画像および撮影用の撮影キー６４が表示される。
【００５８】
たとえば、使用者が撮影キー６４に対してタッチ操作を行うと、撮影された画像がフラッシュメモリ３２に保存される。また、マルチタッチした後に、２本の指が外側にスライドされると、スルー画像がズームアップされる。一方、２本の指が内側にスライドされると、スルー画像がズームダウンされる。
【００５９】
また、カメラ機能が実行された後に、これらの操作が行われないまま放置された状態（無操作状態）で所定時間が経過すると、使用者が携帯電話機１０を使用しているかが判断される。そして、使用者が携帯電話機１０を使用していないと判断されると、省電力状態が設定される。
【００６０】
具体的には、カメラ機能が実行され無操作状態で所定時間が経過すると、第２カメラモジュール（インカメラ）４２を起動し、画像を撮影する。次に、第２カメラモジュール４２によって撮影された画像に対して顔検出処理を実行し、第２カメラモジュール４２を停止する。次に、第２カメラモジュール４２によって撮影された画像において、使用者などの顔が検出されたかが判断される。そして、第２カメラモジュール４２の撮影画像において顔が検出されない場合、携帯電話機１０が使用されていないと考えられるため、省電力状態が設定される。また、省電力状態が設定されると、図３（Ｂ）に示すように、ディスプレイ３０、バックライトおよびタッチパネル３８の電源がオフにされると共に、カメラ機能が終了される。
【００６１】
一方、顔が検出された場合、携帯電話機１０が使用されていると考えられるため、引き続きスルー画像がディスプレイ３０に表示される。また、顔が検出されると、再び顔を検出するために、所定時間の計測に利用されたタイマがリスタートされる。つまり、カメラ機能が実行されている場合、所定時間が経過する度に、第２カメラモジュール４２によって撮影された画像に対して、顔検出処理が実行される。
【００６２】
このように、使用者が携帯電話機１０を利用しているかを判断するときだけ、第２カメラモジュール４２を起動するようにしたため、第２カメラモジュール４２が常に起動している場合に比べて、携帯電話機１０の消費電力を抑えることができる。
【００６３】
また、使用者が携帯電話機１０を使っているときに、無操作状態のまま所定時間が経過しても、省電力状態が設定されないようにできる。特に、時間だけで省電力状態を設定してしまうと、使用者がシャッターチャンスなどを伺っているときに、省電力状態が設定されてディスプレイ３０の電源がオフになることがあり、シャッターチャンスを逃してしまうことがある。ところが、本実施例のように、所定時間毎に携帯電話機１０が使用されているかを判断することで、使用者がシャッターチャンスを逃す心配がなくなる。
【００６４】
さらに、省電力状態ではディスプレイ３０の電源をオフにすることで、携帯電話機１０の消費電力を大幅に削減することができる。
【００６５】
そして、テレビ電話機能のために設けられている第２カメラモジュール４２を利用しているため、省電力状態を設定するために新たな部品を追加する必要が無くなる。そのため、携帯電話機１０の原価を上げずに済む。また、カメラ機能が顔検出機能を有している場合、顔検出処理を新たに組み込む必要もなくなる。
【００６６】
なお、省電力状態が設定されているときに、メニューキー２６ｃが操作されると、省電力状態から復帰し、ディスプレイ３０の電源がオンにされる。このとき、ディスプレイ３０には、カメラ機能を起動するためのカメラ起動画面が表示される。ただし、他の実施例では、待機画面が表示されてもよい。
【００６７】
図４は、ＲＡＭ３４のメモリマップを示す図である。ＲＡＭ３４には、プログラム記憶領域３０２およびデータ記憶領域３０４が含まれる。また、プログラムおよびデータの一部は、フラッシュメモリ３２から一度に全部または必要に応じて部分的かつ順次的に読み出され、ＲＡＭ３４に記憶される。
【００６８】
プログラム記憶領域３０２には、携帯電話機１０を動作させるためのプログラムが記憶されている。たとえば、携帯電話機１０を動作させるためのプログラムには、顔検出プログラム３１０および省電力制御プログラム３１２が含まれる。
【００６９】
顔検出プログラム３１０は、対象となる画像から顔の特徴（目、鼻など）を含む顔領域を探索し、探索された領域を検出結果として出力するプログラムである。省電力制御プログラム３１２は、顔検出処理の検出結果に基づいて省電力状態を設定するためのプログラムである。
【００７０】
なお、図示は省略するが、携帯電話機１０を動作させるためのプログラムには、通話を行うためのプログラムなどが含まれる。
【００７１】
続いて、データ記憶領域３０４には、表示画面バッファ３３０、顔検出フラグ３３２および判定カウンタ３３４などが含まれる。画像表示バッファ３３０には、消費電力状態から復帰したときに表示される画像が一時的に記憶される。
【００７２】
顔検出フラグ３３２は、顔検出プログラム３１０によって顔が検出されたかを示すフラグである。たとえば、顔検出フラグ３３２は、１ビットのレジスタで構成される。顔検出フラグ３３２がオン（成立）されると、レジスタにはデータ値「１」が設定される。一方、顔検出フラグ３３２がオフ（不成立）されると、レジスタにはデータ値「０」が設定される。
【００７３】
判定カウンタ３３４は、時間を計測するためのカウンタであり、リセット（初期化）されるとカウント（計測）を開始する。そのため、判定カウンタ３３４は判定タイマと呼ばれることもある。
【００７４】
なお、図示は省略するが、データ記憶領域３０４には、待機状態でディスプレイ３０表示される画像データや、文字列のデータなどが記憶されると共に、携帯電話機１０の動作に必要なカウンタおよびフラグも設けられる。
【００７５】
プロセッサ２４は、Ａｎｄｒｏｉｄ（登録商標）およびＲＥＸなどのＬｉｎｕｘ（登録商標）ベースのＯＳや、その他のＯＳの制御下で、図５に示す省電力制御処理などを含む、複数のタスクを並列的に処理する。
【００７６】
図５は省電力制御処理のフロー図である。たとえば、所定機能としてカメラ機能を実行する操作がされると、プロセッサ２４はステップＳ１で、判定タイマをスタートする。つまり、判定カウンタ３３４がリセットされ、時間の計測が開始される。なお、ステップＳ１の処理を実行するプロセッサ２４は計測部として機能する。
【００７７】
続いて、ステップＳ３では、判定タイマによって所定時間（たとえば、６０秒）が計測されたか否かを判断する。ステップＳ３で“ＮＯ”であれば、たとえば判定カウンタ３３４が示す数値が所定時間よりも短い時間であれば、ステップＳ５で操作されたか否かを判断する。たとえば、タッチパネル３８に対して、ズームアップまたはズームアップを行うタッチ操作がされたかが判断される。ただし、終了操作された場合、割り込み処理となるため、省電力制御処理の流れに関係なく、省電力制御処理は終了する。
【００７８】
ステップＳ５で“ＹＥＳ”であれば、たとえば、ズームアップを行うタッチ操作がされると、ステップＳ１５に進む。一方、ステップＳ５で“ＮＯ”であれば、つまり何ら操作がされなければ、ステップＳ３に戻る。
【００７９】
ステップＳ３で“ＹＥＳ”であれば、たとえばカメラ機能が実行されてから無操作状態で所定時間が経過すれば、ステップＳ７で第２カメラモジュール４２を起動する。つまり、第２カメラモジュール４２によって、使用者の顔などが撮影可能な状態にする。続いて、ステップＳ９で、顔検出処理が実行される。つまり、ステップＳ９では、第２カメラモジュール４２で画像を撮影する。次に、顔検出プログラム３１０を実行することで、撮影された画像から顔領域を探索する。そして、顔領域が見つかれば顔が検出されたと判定し、顔検出フラグ３３２をオンにする。一方、顔領域が見つからなければ顔の検出に失敗したと判定し、顔検出フラグ３３２をオフにする。なお、ステップＳ７の処理を実行するプロセッサ２４は起動部として機能し、ステップＳ９の処理を実行するプロセッサ２４は実行部として機能する。
【００８０】
続いて、ステップＳ１１では、第２カメラモジュール４２を停止する。つまり、顔検出処理が終了したため、消費電力を抑えるために第２カメラモジュール４２が停止される。続いて、ステップＳ１３では、顔が検出されたか否かを判断する。つまり、顔検出フラグ３３２がオンであるかが判断される。また、ステップＳ１３の処理を実行するプロセッサ２４は判断部として機能する。ステップＳ１３で“ＹＥＳ”であれば、つまり第２カメラモジュール４２によって撮影され画像に顔が含まれていれば、ステップＳ１５で判定タイマをリスタートして、ステップＳ３に戻る。つまり、使用者が携帯電話機１０を使用している可能性が高いため、判定タイマがリスタートされる。
【００８１】
一方、ステップＳ１３で“ＮＯ”であれば、つまり第２カメラモジュール４２によって撮影された画像に顔が含まれていなければ、ステップＳ１７で省電力状態を設定する。たとえば、カメラ機能が実行されていれば、ディスプレイ３０、バックライトおよびタッチパネル３８それぞれの電源がオフにされる。なお、ステップＳ１７の処理を実行するプロセッサ２４は設定部、第１設定部または第２設定部として機能する。
【００８２】
続いて、ステップＳ１９で復帰したときの画面を所定機能の起動画面に設定する。たとえば、カメラ機能が実行されている状態であれば、カメラ起動画面が設定される。具体的には、カメラ起動画面の画像が表示画像バッファ３３０に格納される。そして、ステップＳ１９の処理が終了すれば、省電力制御処理を終了する。
【００８３】
＜第２実施例＞
第２実施例では、所定機能としてテレビ視聴機能が実行される。なお、第２実施例の携帯電話機１０は、第１実施例とほぼ同じであるため、携帯電話機１０の電気的な構成、外観、ＲＡＭ３４のメモリマップおよび図５に示す省電力制御処理などの説明は省略する。
【００８４】
図６（Ａ）を参照して、テレビ視聴機能が実行されると、機能表示領域６２には、テレビ番組に対応する映像、文字列およびキーが表示される。そして、無操作状態で所定時間が経過すると、カメラ機能と同様、第２カメラモジュール４２で撮影された画像に対して顔検出処理が実行される。そして、顔が検出されれば引き続きテレビ番組が表示される。一方、顔が検出されなければ、省電力状態が設定され、図６（Ｂ）に示すように、ディスプレイ３０、バックライトおよびタッチパネル３８の電源がオフにされる。ただし、省電力状態にされても、テレビ番組の音声の出力は継続される。
【００８５】
たとえば、使用者は、テレビ視聴機能を実行したまま、携帯電話機１０から一時的に離れるようなことが想定される。この場合、使用者が携帯電話機１０から離れると省電力状態が設定されるため、消費電力が抑えられる。そのため、テレビ視聴機能の視聴時間が延びる。また、番組の音声が継続して出力されるため、使用者は、省電力状態から復帰させる際に、番組の状態を容易に把握できる。
【００８６】
また、省電力状態から復帰した場合、ディスプレイ３０には、テレビ視聴機能の起動画面ではなく、テレビ番組が再び表示される。つまり、使用者は、省電力状態から復帰する操作を行えば、すぐにテレビ番組の視聴を再開できる。
【００８７】
なお、第１実施例および第２実施例は、任意に組み合わせることが可能であり、具体的な組み合わせについては容易に想像できるので、詳細な説明は省略する。
【００８８】
他の実施例では、カメラ機能およびテレビ視聴機能以外に、ＨＰを閲覧するためのブラウザ機能、所定機能として画像のプレビュー機能、地図を表示するナビゲーション機能、サーバまたはフラッシュメモリ３２に記憶されている動画を再生する動画再生機能、電子書籍を表示する電子書籍再生機能などが実行されてもよい。
【００８９】
また、ディスプレイ３０に待機画面が表示された状態（待機状態）でも、判定タイマによって時間が計測される。つまり、待機状態でも、無操作のまま所定時間が経過すれば、第２カメラモジュール４２によって撮影された画像に対して、顔検出処理が実行される。そして、使用者の顔が検出されなければ省電力状態が設定され、使用者の顔が検出されると判定タイマがリスタートされる。
【００９０】
その他の実施例では、省電力状態が設定された場合は、バックライトの電源だけがオフにされてもよい。つまり、ディスプレイ３０の表示は引き続き行われる。これにより、省電力状態から復帰するときに、使用者は携帯電話機１０の状態を把握しやすくなる。
【００９１】
さらにその他の実施例では、顔検出処理の処理時間を考慮して、所定時間よりも前にステップＳ９の顔検出処理が実行されてもよい。たとえば、顔検出処理の処理時間が０．５秒であり、所定時間が６０秒である場合、ステップＳ３では、判定タイマによって５９．５秒が計測されたかを判断する。
【００９２】
上記の各実施例では、携帯電話機１０の通信方式はＣＤＭＡ方式であるが、ＬＴＥ方式、Ｗ−ＣＤＭＡ方式、ＧＳＭ方式、ＴＤＭＡ方式、ＦＤＭＡ方式およびＰＨＳ方式などが採用されてもよい。また、ディスプレイ３０にはＬＣＤモニタが利用されるが、有機ＥＬパネルなどが採用されてもよい。さらに、携帯電話機１０の外観はストレート型に限らず、スライド型や、１軸または２軸折り畳み型などであってもよい。
【００９３】
本実施例で用いられたプログラムは、データ配信用のサーバのＨＤＤに記憶され、ネットワークを介して携帯電話機１０に配信されてもよい。また、ＣＤ，ＤＶＤ，ＢＤ（Ｂｌｕ−ｒａｙ  Ｄｉｓｃ）などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、プログラムが本実施例と同等の構成の携帯電話機にインストールされた場合、本実施例と同等の効果が得られる。
【００９４】
本実施例は、携帯電話機１０のみに限らず、いわゆるフィーチャーフォンと呼ばれる携帯電話機や、電子書籍端末、タブレット型ＰＣおよびＰＤＡなどに適用されてもよい。
【００９５】
そして、本明細書中で挙げた、具体的な数値は、いずれも単なる一例であり、製品の仕様変更などに応じて適宜変更可能である。
【符号の説明】
【００９６】
１０    …  携帯電話機
１２    …  アンテナ
１４    …  無線通信回路
２４    …  プロセッサ
２６    …  キー入力装置
３０    …  ディスプレイ
３４    …  ＲＡＭ
４０    …  第１カメラモジュール
４２    …  第２カメラモジュール
４４    …  デジタルチューナ
４６    …  テレビアンテナ
【図１】
2013062777.tif 000003
【図２】
2013062777.tif 000004
【図３】
2013062777.tif 000005
【図４】
2013062777.tif 000006
【図５】
2013062777.tif 000007
【図６】
2013062777.tif 000008